(57)【要約】【課題】周囲の温度等の種々の条件の相違に関わらず、ＡＦ制御の精度を確保できるオートフォーカス駆動装置を提供することを課題とする。【解決手段】オートフォーカス用光学系（１０４）を駆動するための第１のモータ（１３０）と、前記第１のモータと、前記オートフォーカス用光学系とともにレンズ鏡筒（１１０）内に設けられた第２のモータ（１４４）のいずれか一方を選択して前記オートフォーカス用光学系を駆動させる選択手段（２５０）と、入力される情報に応じて、前記選択手段で選択されている前記第１のモータと前記第２のモータのいずれか一方を他方に切り替える切替手段（２５０）と、を備えるオートフォーカス駆動装置。【選択図】図２
2010197752.tif 000002
【特許請求の範囲】
【請求項１】
オートフォーカス用光学系を駆動するための第１のモータと、
前記第１のモータと、前記オートフォーカス用光学系とともにレンズ鏡筒内に設けられた第２のモータのいずれか一方を選択して前記オートフォーカス用光学系を駆動させる選択手段と、
入力される情報に応じて、前記選択手段で選択されている前記第１のモータと前記第２のモータのいずれか一方を他方に切り替える切替手段と、
を備えるオートフォーカス駆動装置。
【請求項２】
前記第１のモータはＤＣモータであり、前記第２のモータは超音波モータである請求項１に記載のオートフォーカス駆動装置。
【請求項３】
温度情報が入力される温度情報入力部をさらに備え、
前記切替手段は、前記温度情報に基づいて、前記選択手段で選択されている前記第１のモータと前記第２のモータのいずれか一方を他方に切り替える請求項１または請求項２に記載のオートフォーカス駆動装置。
【請求項４】
温度情報が入力される温度情報入力部をさらに備え、
前記切替手段は、前記温度情報に基づいた温度が閾値以上である場合で、且つ、前記選択手段で前記第２のモータが選択されている場合、前記選択手段での選択を前記第１のモータに切り替える請求項２に記載のオートフォーカス駆動装置。
【請求項５】
前記第１のモータと前記第２のモータとに電力を供給する電源部のバッテリ残量を検出するバッテリ残量検出部をさらに備え、
前記切替手段は、前記バッテリ残量検出部で検出されたバッテリ残量に基づいて、前記選択手段で選択されている前記第１のモータと前記第２のモータのいずれか一方を他方に切り替える請求項１または請求項２に記載のオートフォーカス駆動装置。
【請求項６】
前記第１のモータと前記第２のモータとに電力を供給する電源部のバッテリ残量を検出するバッテリ残量検出部をさらに備え、
前記切替手段は、前記バッテリ残量検出部で検出されたバッテリ残量が閾値以下であり、且つ、前記選択手段で前記第２のモータが選択されている場合、前記選択手段での選択を前記第１のモータに切り替える請求項２に記載のオートフォーカス駆動装置。
【請求項７】
動画を撮影する動画モードと静止画を撮影する静止画モードとの何れに設定されているかを示す撮影モード情報が入力される撮影モード情報入力部をさらに備え、
前記切替手段は、前記撮影モード情報に基づいて、前記選択手段で選択されている前記第１のモータと前記第２のモータのいずれか一方を他方に切り替える請求項１または請求項２に記載のオートフォーカス駆動装置。
【請求項８】
動画を撮影する動画モードと静止画を撮影する静止画モードの何れに設定されているかを示す撮影モード情報が入力される撮影モード情報入力部をさらに備え、
前記切替手段は、前記撮影モード情報が前記動画モードであることを示しており、且つ、前記選択手段で前記第１のモータが選択されている場合、前記選択手段での選択を前記第２のモータに切り替える請求項２に記載のオートフォーカス駆動装置。
【請求項９】
第１のモードと当該第１のモードより動作音が低減される第２のモードの何れに設定されているかを示す音モード情報が入力される音モード情報入力部をさらに備え、
前記切替手段は、前記音モード情報に基づいて、前記選択手段で選択されている前記第１のモータと前記第２のモータのいずれか一方を他方に切り替える請求項１または請求項２に記載のオートフォーカス駆動装置。
【請求項１０】
第１のモードと当該第１のモードより動作音が低減される第２のモードの何れに設定されているかを示す音モード情報が入力される音モード情報入力部をさらに備え、
前記切替手段は、前記音モード情報が前記第２のモードであることを示しており、且つ、前記選択手段で前記第１のモータが選択されている場合、前記選択手段での選択を前記第２のモータに切り替える請求項２に記載のオートフォーカス駆動装置。
【請求項１１】
前記第１のモータと前記第２のモータの何れかが指定されたモータ指定情報が入力されるモータ指定情報入力部をさらに備え、
前記切替手段は、前記モータ指定情報で指定された前記第１のモータと前記第２のモータの何れかと、前記選択手段で選択されている前記第１のモータと前記第２のモータの何れかとが異なる場合、前記選択手段での選択を切り替える請求項１または請求項２に記載のオートフォーカス駆動装置。
【請求項１２】
前記切替手段での切り替えの許可を示す許可情報あるいは不許可を示す不許可情報が入力される切替情報入力部をさらに備え、
前記切替手段は、前記切替情報入力部で前記許可情報が入力された場合に、前記選択手段で選択されている前記第１のモータと前記第２のモータのいずれか一方を他方に切り替える請求項１〜請求項１１の何れか１項に記載のオートフォーカス駆動装置。
【請求項１３】
前記切替手段は、前記切替情報入力部で前記不許可情報が入力された場合に、前記選択手段で選択されている前記第１のモータと前記第２のモータのいずれか一方を他方に切り替える動作を中止する請求項１２に記載のオートフォーカス駆動装置。
【請求項１４】
前記切替手段において、前記選択手段で選択されている前記第１のモータと前記第２のモータのいずれか一方を他方に切り替えられる場合に、切り替えられることを示す情報を出力する切替情報出力部をさらに備える請求項１〜請求項１３の何れか１項に記載のオートフォーカス駆動装置。
【請求項１５】
請求項１〜請求項１４の何れか１項に記載のオートフォーカス駆動装置を備えたカメラ。
【発明の詳細な説明】
【技術分野】
【０００１】
本発明は、オートフォーカス駆動装置及びカメラに関する。
【背景技術】
【０００２】
オートフォーカス（ＡＦ）駆動用のモータとして、カメラ本体にＤＣモータを、レンズ鏡筒に超音波モータを備えるレンズ交換式の一眼レフカメラが知られている（例えば、特許文献１参照）。当該一眼レフカメラでは、ＤＣモータを超音波モータに先行して駆動させて超音波モータを強制的に駆動させる。
【先行技術文献】
【特許文献】
【０００３】
【特許文献１】特開２００８−１７０８３３号公報
【発明の概要】
【発明が解決しようとする課題】
【０００４】
上記一眼レフカメラでは、超音波モータＡＦ制御での立ち上がり特性を改善させることができる。しかしながら、周囲の温度、バッテリ残量、設定されている撮影モード等の種々の条件によって、超音波モータが特性上の理由から使用に適さない場合がある。そこで、上記事情に鑑み、周囲の温度等の種々の条件の相違に関わらず、ＡＦ駆動部の動作性能を確保できるオートフォーカス駆動装置を提供することを課題とする。
【課題を解決するための手段】
【０００５】
上記課題を解決するために、本発明の第１の態様においては、オートフォーカス用光学系（１０４）を駆動するための第１のモータ（１３０）と、前記第１のモータと、前記オートフォーカス用光学系とともにレンズ鏡筒（１１０）内に設けられた第２のモータ（１４４）のいずれか一方を選択して前記オートフォーカス用光学系を駆動させる選択手段（２５０）と、入力される情報に応じて、前記選択手段で選択されている前記第１のモータと前記第２のモータのいずれか一方を他方に切り替える切替手段（２５０）と、を備えるオートフォーカス駆動装置を提供する。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】本実施形態に係る一眼レフタイプのデジタルカメラ１００の概略構成を示す図である。
【図２】デジタルカメラ１００におけるＤＣモータ１３０と超音波モータ１４４との切替を実施する処理ルーチンを説明するためのフローチャートである。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本実施形態に係る一眼レフタイプのデジタルカメラ１００の概略構成を示す図である。この図に示すように、デジタルカメラ１００は、カメラ本体２００と、マウント部２６０、２６１を介してカメラ本体２００に対して着脱自在に装着されるレンズ鏡筒１１０とを備えている。カメラ側のマウント部２６０とレンズ側のマウント部２６１とは、互いに着脱自在に結合される。カメラ側のマウント部２６０及びレンズ側のマウント部２６１には、それぞれ接続端子２６２、２６４が設けられており、接続端子２６２と接続端子２６４とが互いに接触する。これにより、カメラ本体２００とレンズ鏡筒１１０とが電気的に接続され、カメラ本体２００からレンズ鏡筒１１０へ電源が供給されると共に、カメラ本体２００とレンズ鏡筒１１０との間で情報が通信される。
【００１０】
カメラ本体２００は、メインミラー２４０、ペンタプリズム２７０、接眼光学系２９０を含む光学系と、ＣＰＵ２５０とを収容する。メインミラー２４０は、レンズ鏡筒１１０のズームレンズ１０２及びフォーカスレンズ１０４を含む光学系を介して入射した入射光の光路上に傾斜して配置される待機位置と、入射光を避けて上昇する撮影位置（図中に点線で示す）との間を移動する。
【００１１】
待機位置にあるメインミラー２４０は、入射光の大半を、上方に配置されたフォーカシングスクリーン２７２に導く。フォーカシングスクリーン２７２は、レンズ鏡筒１１０の上記光学系の合焦位置に配置され、上記光学系により形成された画像を結像させる。
【００１２】
フォーカシングスクリーン２７２に結像された画像は、ペンタプリズム２７０を介して接眼光学系２９０から観察される。これにより、接眼光学系２９０からは、フォーカシングスクリーン２７２上の映像を正像として見ることができる。
【００１３】
ペンタプリズム２７０および接眼光学系２９０の間には、ファインダＬＣＤ２９４に形成された表示画像を、フォーカシングスクリーン２７２の映像に重畳させるハーフミラー２９２が配置される。これにより、接眼光学系２９０の出射端においては、フォーカシングスクリーン２７２の映像と、ファインダＬＣＤ２９４の映像とを併せて見ることができる。なお、ファインダＬＣＤ２９４には、デジタルカメラ１００の撮影条件、設定条件等の情報が表示される。
【００１４】
また、ペンタプリズム２７０の出射光の一部は、測光部２８０に導かれる。測光部２８０は、入射光の強度およびその分布等を測定して、撮影条件を決定する場合に測定結果が参照される。
【００１５】
一方、入射光の入射面に対するメインミラー２４０の裏面には、サブミラー２４２が配置される。サブミラー２４２は、メインミラー２４０を透過した入射光の一部を、下方に配置されたＡＦユニット２３０に導く。これにより、メインミラー２４０が待機位置にある場合は、ＡＦユニット２３０が光学系の焦点調整状態を検出する。なお、メインミラー２４０が撮影位置に移動した場合は、サブミラー２４２も入射光の光路から退避する。
【００１６】
レンズ鏡筒１１０からの入射光に対してメインミラー２４０の後方には、シャッタ２２０、光学フィルタ２１２および撮像素子２１０が光軸に沿って配置される。シャッタ２２０が開放される場合は、その直前にメインミラー２４０が撮影位置に移動するので、入射光は直進して撮像素子２１０に入射される。これにより、入射光の形成する画像が、撮像素子２１０において電気信号に変換され出力される。
【００１７】
撮像素子２１０には信号処理回路２１４が接続されている。信号処理回路２１４は、撮像素子２１０から出力された電気信号を処理して画像データを形成する。また、信号処理回路２１４には、メモリ２１６が接続されており、信号処理回路２１４において形成された画像データが、メモリ２１６に記憶される。
【００１８】
また、カメラ本体２００は、レンズ鏡筒１１０に対して背面において、外部に面したメインＬＣＤ２９６を備える。メインＬＣＤ２９６は、カメラ本体２００に対する各種の設定情報を表示する他、メインミラー２４０が撮影位置に移動している場合に撮像素子２１０に形成された画像を表示する。
【００１９】
カメラ本体２００には、ＤＣモータ１３０及びモータドライバ１３２が備えられ、レンズ鏡筒１１０には、ＡＦ駆動部１４０及びモータドライバ１４２が備えられている。また、カメラ側のマウント部２６０及びレンズ側のマウント部２６１にはそれぞれ、ＡＦカプラー１５０、１５２が設けられており、ＡＦカプラー１５０とＡＦカプラー１５２とが互いに噛み合う。これにより、ＤＣモータ１３０とＡＦ駆動部１４０とが連結され、ＤＣモータ１３０の駆動力がＡＦ駆動部１４０に伝達される。
【００２０】
ＡＦ駆動部１４０には、超音波モータ１４４と、クラッチ１４６とが備えられている。超音波モータ１４４は、クラッチ１４６を介してＡＦカプラー１５０に連結され、また、図示しないギア列を介してＡＦ駆動用のカム機構に連結されている。この超音波モータ１４４は、モータドライバ１４２により制御される。
【００２１】
また、クラッチ１４６は、一方向クラッチであり、ＤＣモータ１３０の駆動力をＡＦ駆動用のカム機構に伝達する一方、超音波モータ１４４からＡＦカプラー１５０へ伝わる駆動力を遮断する。なお、超音波モータ１４４の停止状態での保持トルクは、ＤＣモータ１３０から出力され超音波モータ１４４に入力されるトルクより小さくなっている。このため、超音波モータ１４４は、ＤＣモータ１３０が駆動されている状態では空転する。
【００２２】
また、上述のＡＦユニット２３０は、位相差検出方式の測距を実行するセンサユニットであり、結像面近傍に配置されたフィールドレンズ、反射ミラー、二次結像レンズ、絞り、複数のＣＣＤから成るラインセンサ、及び測距回路などを備えている。ＡＦユニット２３０は、測距データをＣＰＵ２５０へ出力する。ＣＰＵ２５０は、得られた測距データを演算処理して、デフォーカス量及びデフォーカス方向を求める。ＣＰＵ２５０は、求めたデフォーカス量及びデフォーカス方向に基づき、モータドライバ１３２又はモータドライバ１４２を制御してＤＣモータ１３０又は超音波モータ１４４を駆動させることにより、フォーカスレンズ１０４を合焦位置へ移動させる。
【００２３】
また、カメラ本体２００には、温度センサ１６０と、バッテリチェッカ１６２と、動画モード使用スイッチ１６４とが備えられている。温度センサ１６０は、カメラ側のマウント部２６１に配されており、マウント部２６１の周囲の温度を検出してＣＰＵ２５０へ出力する。また、バッテリチェッカ１６２は、カメラ本体２００に配されたバッテリの残量を検出してＣＰＵ２５０へ出力する。
【００２４】
また、動画モード使用スイッチ１６４は、カメラ本体２００の外部に配された操作部がユーザにより操作されることによりＯＮ／ＯＦＦされ、ＯＮ／ＯＦＦの信号をＣＰＵ２５０へ出力する。ＣＰＵ２５０は、動画モード使用スイッチ１６４がＯＮになった場合、デジタルカメラ１００の撮影モードを動画モードに設定する一方、動画モード使用スイッチ１６４がＯＦＦになった場合、デジタルカメラ１００の撮影モードを静止画モードに設定する。
【００２５】
また、撮影設定メニューの中には、ＡＦ駆動部１４０を駆動させるモータを選択するメニューが含まれている。即ち、ユーザは、ＤＣモータ１３０と超音波モータ１４４との何れかでＡＦ駆動部１４０を駆動させるかを、メインＬＣＤ２９６に表示されたメニュー画面を用いて選択できる。ＣＰＵ２５０は、当該メニューでＡＦ駆動部１４０を駆動させるモータが選択されている場合には、後述の各種入力情報に関わらず、選択されているモータを駆動させる。
【００２６】
また、撮影設定メニューの中には、撮影動作に伴う作動音を抑制する静音撮影モードの設定／非設定を選択するメニューが含まれている。静音撮影モードに設定された場合、ＣＰＵ２５０は、シャッタ２２０のチャージ速度及びメインミラー２４０の動作速度を、通常の撮影モードと比較して遅い設定にする。
【００２７】
また、撮影設定メニューの中には、ＣＰＵ２５０によるＡＦ駆動部１４０を駆動させるモータの切替を許可する、あるいは不許可とすることを設定するメニューが含まれている。ＣＰＵ２５０は、当該メニューにおいてモータの切替が許可されている場合には、後述の各種情報に応じて、ＡＦ駆動部１４０を駆動させるモータを選択する。一方、ＣＰＵ２５０は、当該メニューにおいてモータの切替が禁止されている場合には、後述の各種情報に関わらず、現在、選択されているＡＦ駆動部１４０を駆動させるモータとして設定されているモータを駆動させる。
【００２８】
また、ＣＰＵ２５０は、ＡＦ駆動部１４０を駆動させるモータの切替を実施する場合には、モータの切替を通知する表示を、メインＬＣＤ２９６に表示させる。なお、モータの切替を実施することの通知は、ファインダＬＣＤ２９４に表示させてもよい。
【００２９】
図２は、デジタルカメラ１００におけるＤＣモータ１３０と超音波モータ１４４との切替を実施する処理ルーチンを説明するためのフローチャートである。当該処理ルーチンは、デジタルカメラ１００の電源がオンになると開始され、ステップＳ１００へ移行する。
【００３０】
ステップＳ１００では、ＣＰＵ２５０が、ＡＦ駆動部１４０を駆動させるモータがユーザ設定により指定されているか否かを判定する。判定が肯定された場合には、ステップＳ１０２へ移行する一方、判定が否定された場合には、ステップＳ１０４へ移行する。
【００３１】
ステップＳ１０２では、ＣＰＵ２５０が、ユーザ設定により超音波モータ１４４に指定されているか否かを判定する。判定が肯定された場合には、ステップＳ１３０へ移行する一方、判定が否定された場合、即ちＤＣモータ１３０に設定されている場合には、ステップＳ１３２へ移行する。
【００３２】
ステップＳ１０４では、ＣＰＵ２５０が、現在、ＡＦ駆動部１４０を駆動させるモータが超音波モータ１４４に設定されているか否かを判定する。判定が肯定された場合には、ステップＳ１０６へ移行する一方、判定が否定された場合には、ステップＳ１２０へ移行する。
【００３３】
ステップＳ１０６では、ＣＰＵ２５０が、温度センサ１６０が検出したマウント部２６０、２６１の周囲の温度Ｔが、予め定められた閾値Ｔ０以上であるか否かを判定する。判定が肯定された場合には、ステップＳ１０８へ移行する一方、判定が否定された場合には、ステップＳ１１０へ移行する。ここで、閾値Ｔ０は、超音波モータ１４４の動作保証をできる値に設定されている。
【００３４】
ステップＳ１０８では、ＣＰＵ２５０が、バッテリチェッカ１６２が検出したバッテリ残量Ｖが、予め定められた閾値Ｖ０以上であるか否かを判定する。判定が肯定された場合には、ステップＳ１３０へ移行する一方、判定が否定された場合には、ステップＳ１１０へ移行する。ここで、閾値Ｖ０は、例えばバッテリがフル充電された状態でのバッテリ残量の１／１０の値に設定されている。
【００３５】
ステップＳ１１０では、ＣＰＵ２５０が、動画モード使用スイッチ１６４がオンになっているか否かを判定する。判定が肯定された場合には、ステップＳ１３０へ移行する一方、判定が否定された場合には、ステップＳ１１２へ移行する。
【００３６】
ステップＳ１１２では、ＣＰＵ２５０が、ユーザ設定により静音モードに設定されているか否かを判定する。判定が肯定された場合には、ステップＳ１３０へ移行する一方、判定が否定された場合には、ステップＳ１１４へ移行する。
【００３７】
ステップＳ１１４では、ＣＰＵ２５０が、メインＬＣＤ２９６に、ＡＦ駆動部１４０を駆動させるモータを超音波モータ１４４からＤＣモータ１３０へ切り替えることを通知する表示を表示させる。そして、ステップＳ１１６へ移行する。
【００３８】
ステップＳ１１６では、ＣＰＵ２５０が、ＡＦ駆動部１４０を駆動させるモータの切替がユーザ設定により禁止されているか否かを判定する。判定が肯定された場合には、ステップＳ１３０へ移行する一方、判定が否定された場合には、ステップＳ１３２へ移行する。
【００３９】
一方、ステップＳ１２０では、ＣＰＵ２５０が、動画モード使用スイッチ１６４がオンになっているか否かを判定する。判定が肯定された場合には、ステップＳ１２２へ移行する一方、判定が否定された場合には、ステップＳ１３２へ移行する。
【００４０】
ステップＳ１２２では、ＣＰＵ２５０が、静音モードに設定されているか否かを判定する。判定が肯定された場合には、ステップＳ１２４へ移行する一方、判定が否定された場合には、ステップＳ１３２へ移行する。
【００４１】
ステップＳ１２４では、ＣＰＵ２５０が、ＡＦ駆動部１４０を駆動させるモータをＤＣモータ１３０から超音波モータ１４４へ切り替えることを通知する表示を表示させる。そして、ステップＳ１２６へ移行する。
【００４２】
ステップＳ１２６では、ＣＰＵ２５０が、ＡＦ駆動部１４０を駆動させるモータの切替がユーザ設定により禁止されているか否かを判定する。判定が肯定された場合には、ステップＳ１３２へ移行する一方、判定が否定された場合には、ステップＳ１３０へ移行する。
【００４３】
ステップＳ１３０では、ＡＦ駆動部１４０を駆動させるモータを超音波モータ１４４に設定する。一方、ステップＳ１３２では、ＡＦ駆動部１４０を駆動させるモータをＤＣモータ１３０に設定する。以上で、処理ルーチンを終了する。
【００４４】
即ち、本実施形態では、ＡＦ駆動部１４０を駆動させるモータが、レンズ鏡筒１１０の超音波モータ１４４に設定され、温度センサ１６０により検出されるレンズ鏡筒１１０内の温度Ｔが閾値Ｔ０未満である場合には、当該モータがＤＣモータ１３０に切り替えられる。ここで、超音波モータ１４４は、低温での動作特性が、ＤＣモータ１３０と比較して低い。そこで、本実施形態では、超音波モータ１４４の周囲の温度が動作保証できる値に満たない場合には、超音波モータ１４４を使用せずにＤＣモータ１３０を使用してＡＦ動作を実施する。これにより、デジタルカメラ１００を低温環境で使用する場合でも、ＡＦ制御の精度を確保できる。
【００４５】
また、本実施形態では、ＡＦ駆動部１４０を駆動させるモータが、レンズ鏡筒１１０の超音波モータ１４４に設定され、バッテリチェッカ１６２により検出されるバッテリ残量Ｖが閾値Ｖ０未満である場合には、当該モータがＤＣモータ１３０に切り替えられる。ここで、超音波モータ１４４は、電力効率がＤＣモータ１３０と比較して低い。そこで、本実施形態では、バッテリ残量が例えばフル充電の状態における値の１／１０のように少ない場合には、超音波モータ１４４を使用せずにＤＣモータ１３０を使用してＡＦ動作を実施する。これにより、バッテリの充電が切れるまでの時間を延長できる。
【００４６】
また、本実施形態では、ＡＦ駆動部１４０を駆動させるモータが、カメラ本体２００のＤＣモータ１３０に設定され、撮影モードが動画モードに設定されている場合には、当該モータが超音波モータ１４４に切り替えられる。ここで、ＤＣモータ１３０は、動作音が超音波モータ１４４と比較して大きい。このため、動画撮影を実施して画像と共に音声も記録している場合には、ＤＣモータ１３０の動作音がノイズとなる。そこで、本実施形態では、動画撮影が実施される場合には、ＤＣモータ１３０を使用せずに超音波モータ１４４を使用してＡＦ動作を実施する。これにより、動画撮影の実施に際してスピーカがＤＣモータ１３０の動作音をノイズとして拾うことを防止できる。
【００４７】
また、本実施形態では、ＡＦ駆動部１４０を駆動させるモータが、カメラ本体２００のＤＣモータ１３０に設定され、静音モードに設定されている場合には、当該モータが超音波モータ１４４に切り替えられる。これにより、静音モードが設定され、シャッタ２２０、メインミラー２４０の動作オンが低減されているにもかかわらず、ＤＣモータ１３０の動作音を発生させてしまうことを防止できる。
【００４８】
また、本実施形態では、ＡＦ駆動部１４０を駆動させるモータの切替を実施する場合には、モータの切替を実施することをメインＬＣＤ２９６に表示させ、ユーザに通知する。そして、ユーザにモータの切替を実施するか否かを選択する余地を与える。これにより、ユーザの意思に反して超音波モータ１４４とＤＣモータ１３０との間で切替が実施されることを防止できる。
【００４９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５０】
例えば、本実施形態では、カメラ本体２００に設けられているモータをＤＣモータ１３０、レンズ鏡筒１１０に設けられているモータを超音波モータ１４４とした。しかし、ＤＣモータ１３０、超音波モータ１４４をそれぞれ同様の特性のモータに変えてもよい。この場合でも、上記実施の形態と同様の効果を得ることが出来る。
【００５１】
また、本実施形態では、カメラ本体２００とレンズ鏡筒１１０とにそれぞれ１個のモータを配した。しかし、カメラ本体２００に２個のモータを配したり、レンズ鏡筒１１０に２個のモータを配したりしてもよい。この場合にも、ＣＰＵ２５０に入力される情報に応じて２個のモータの何れか一方を駆動させればよい。また、カメラ本体２００とレンズ鏡筒１１０との双方に２個のモータを配してもよい。この場合には、ＡＦ駆動部１４０とモータとの連結機構の単純化を理由に、レンズ鏡筒１１０に配されているモータを優先的に使用すればよい。
【００５２】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５３】
１００  デジタルカメラ、１０２  ズームレンズ、１０４  フォーカスレンズ、１１０  レンズ鏡筒、１３０  ＤＣモータ、１３２  モータドライバ、１４０  ＡＦ駆動部、１４２  モータドライバ、１４４  超音波モータ、１４６  クラッチ、１５０、１５２  ＡＦカプラー、１６０  温度センサ、１６２  バッテリチェッカ、１６４  動画モード使用スイッチ、２００  カメラ本体、２１０  撮像素子、２１２  光学フィルタ、２１４  信号処理回路、２１６  メモリ、２２０  シャッタ、２３０  ＡＦユニット、２４０  メインミラー、２４２  サブミラー、２５０  ＣＰＵ、２６０、２６１  マウント部、２６２、２６４  接続端子、２７０  ペンタプリズム、２７２  フォーカシングスクリーン、２８０  測光部、２９０  接眼光学系、２９２  ハーフミラー、２９４  ファインダＬＣＤ、２９６  メインＬＣＤ
【図１】
2010197752.tif 000003
【図２】
2010197752.tif 000004